【手続補正書】
【提出日】平成16年9月7日(2004.9.7)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】  遊技媒体の入賞しうる入賞口を、第１の状態及び第１の状態よりも入賞容易な第２の状態にするためのシャッタと、該シャッタを作動させるための電気的駆動手段とを有してなる可変入賞装置を備えた遊技機において、
前記電気的駆動手段を外部からの不正操作が困難となるよう被覆体で覆ったことを特徴とする遊技機。
【請求項２】  請求項１に記載の遊技機において、前記シャッタは、傾動により前記入賞口を閉鎖状態及び開放状態にしうるものであることを特徴とする遊技機。
【請求項３】  請求項１又は２に記載の遊技機において、前記電気的駆動手段はソレノイドよりなり、少なくとも該ソレノイドのプランジャを前記被覆体で覆うようにしたことを特徴とする遊技機。
【請求項４】  請求項１〜３のいずれかに記載の遊技機において、
前記電気的駆動手段の作動部及び前記シャッタの少なくとも一方と、不動状態にある固定部との少なくとも一方には、前記電気的駆動手段が駆動されない通常時には、前記入賞口が第１の状態に維持されるよう保持手段を設けたことを特徴とする遊技機。
【請求項５】  請求項４に記載の遊技機において、前記保持手段を、少なくとも磁石によって構成するとともに、前記電気的駆動手段が駆動された場合には、前記保持手段の磁力に抗して前記入賞口が第２の状態となるのを許容するようにしたことを特徴とする遊技機。
【発明の詳細な説明】
【０００１】
【発明の属する技術分野】
本発明は、入賞口を第１の状態及び第１の状態よりも入賞容易な第２の状態にするためのシャッタと、該シャッタを作動するための電気的駆動手段とを有してなる可変入賞装置を備えたパチンコ機等の遊技機に関するものである。
【０００２】
【従来の技術】
従来、遊技機の一種として、複数種類の図柄等を、予め定められた配列で変動表示するための特別図柄表示装置を備えたパチンコ機が知られている。
【０００３】
この種のパチンコ機では、表示装置での変動表示停止時の表示図柄（停止図柄）に応じて、リーチ状態を経た後に遊技者に有利な状態となる「特別遊技状態」、リーチ状態を経た後に特別遊技状態とはならない「外れリーチ状態」、又は、リーチ状態を経ず、かつ、特別遊技状態ともならない「外れ状態」が発生させられる。停止図柄には、特別遊技状態を発生させるための特別遊技図柄（大当たり図柄）、外れリーチを発生させるための外れリーチ図柄、及び、外れ状態を発生させるための外れ図柄がある。
【０００４】
前記のようなパチンコ機では、遊技者の操作に応じて変化する遊技状況が、所定の条件を満たすこと（例えば、遊技球が作動口に入賞すること等）に基づいて、特別図柄表示装置において、図柄の変動表示が開始される。また、上記特別遊技図柄、外れリーチ図柄、及び、外れ図柄の中から、遊技状況に応じた停止図柄が選択され、その選択された停止図柄で前記変動表示が停止させられる。そして、大当たり図柄で停止した場合には、特別変動入賞装置（可変入賞装置）が遊技者にとって有利な状態（大当たり状態）となるように切換えられる。より詳しくは、シャッタが傾動されて大入賞口が開放され、そこへ多くの遊技球を入賞させることによって、遊技者は大量の景品球を獲得することが可能となる。
【０００５】
かかる可変入賞装置は、一般に、大入賞口を備えているとともに、大入賞口の前には、シャッタが設けられている。このシャッタは、大入賞口の側部に設けられた大入賞口用ソレノイドにより作動させられ、大入賞口を開閉する。詳しくは、当該ソレノイドが励磁状態となることにより、シャッタが略水平に傾動し、これにより大入賞口が開かれる。また、ソレノイドが非励磁状態となることにより、シャッタが略垂直状態となり、これにより大入賞口は閉鎖される。
【０００６】
【発明が解決しようとする課題】
ところが近年、上記可変入賞装置に関し、種々の不正行為が報告されるようになってきている。不正行為の代表例としては、パチンコ機の上皿の遊技球通路から「セル」と称される薄肉長尺状の樹脂板をパチンコ機内部に挿入させ、シャッタを強制的に傾動させ、大入賞口を開放状態にするとともに、該開放状態にある大入賞口に大量の遊技球を不正に入賞させる行為が挙げられる。このような不正行為により、大量の景品球が不正に導出されてしまい、結果的に遊技場側に多大な損害が及ぶケースがあった。
【０００７】
上記の「セル」を用いて大入賞口を開放させる方法としては、シャッタに「セル」の先端を引っかけて直接的にシャッタを傾動させる方法と、ソレノイドのプランジャを作動（プランジャをコイルバネの付勢力に抗して没入）させて、シャッタを傾動させる方法とがある。前者の不正行為について、シャッタと大入賞口（開口部）とを極力面一にし、かつ、両者間の隙間を極力なくすことで、ある程度回避することはできるものの、後者の不正行為については、未だ十分といえる対策が講じられていないのが実状であった。
【０００８】
本発明は、上述した問題に鑑みてなされたものであって、その目的は、入賞口を第１の状態及び第１の状態よりも入賞容易な第２の状態にするためのシャッタと、該シャッタを作動するための電気的駆動手段とを有してなる可変入賞装置を備えたパチンコ機等の遊技機において、不正行為のより確実な防止を図ることのできる遊技機を提供することにある。
【０００９】
【課題を解決するための手段】
上記の目的を達成するため、第１の発明においては、遊技媒体の入賞しうる入賞口を、第１の状態及び第１の状態よりも入賞容易な第２の状態にするためのシャッタと、該シャッタを作動させるための電気的駆動手段とを有してなる可変入賞装置を備えた遊技機において、前記電気的駆動手段を外部からの不正操作が困難となるよう被覆体で覆ったことをその要旨としている。
【００１０】
また、第２の発明では、上記第１の発明にかかる遊技機において、前記シャッタは、傾動により前記入賞口を閉鎖状態及び開放状態にしうるものであることをその要旨としている。
【００１１】
さらに、第３の発明では、上記第１又は第２の発明にかかる遊技機において、前記電気的駆動手段はソレノイドよりなり、少なくとも該ソレノイドのプランジャを前記被覆体で覆うようにしたことをその要旨としている。
【００１２】
（作用）
上記第１の発明にかかる遊技機によれば、可変入賞装置の電気的駆動手段によりシャッタが作動させられる。そのシャッタにより、入賞口が第１の状態及び第１の状態よりも遊技媒体の入賞容易な第２の状態にされる。
【００１３】
さて、上記遊技機によれば、前記電気的駆動手段が、被覆体で覆われ、外部からの不正操作が困難となっている。このため、「セル」等の治具を用いて、電気的駆動手段を不正に操作して入賞口を第２の状態にしようとしても、被覆体の存在により、そのような不正な操作は行いにくくなる。
【００１４】
また、第２の発明によれば、上記第１の発明にかかる遊技機の作用に加えて、前記シャッタは、傾動により前記入賞口を閉鎖状態及び開放状態にされうる。また、前記被覆体の存在により、電気的駆動手段の操作に基づくシャッタの不正な傾動が抑制されうる。
【００１５】
さらに、第３の発明によれば、上記第１、第２の発明にかかる遊技機の作用に加えて、前記電気的駆動手段はソレノイドよりなっており、該ソレノイドのプランジャが出没することによって、シャッタの作動、非作動が切り換えられる。本遊技機では、少なくとも該ソレノイドのプランジャが被覆体で覆われているため、上記作用が確実に奏される。
【００１６】
【発明の実施の形態】
以下に、遊技機としてのパチンコ機を具体化した一実施の形態を、図面に基づいて詳細に説明する。
【００１７】
図１に示すように、外枠１には前枠２が回動軸を中心に回動可能に装着されている。同図では前枠２は閉じた状態にある。前枠２には遊技盤３（図２参照）、ガラス板を有してなるガラス扉枠４、上皿５、下皿６、ハンドル７等が装着されている。上皿５の側方であって前枠２内部にはスピーカ８が埋設されている。スピーカ８は遊技の進行に伴い種々の効果音を鳴らしたり、遊技者に遊技状態を音声にて報知する。前枠２内部には各種機構部が配設されている。
【００１８】
次に、遊技盤３の遊技面上の構成について説明する。図２に示すように、遊技盤３には、作動口１２、図柄表示装置１３、及び大入賞口１１を備えた可変入賞装置２１等が設けられている。
【００１９】
作動口１２は、遊技盤３の中央下部に設けられ、遊技球Ｂの通路を備えており、その通路入口には羽根９が開閉可能に支持されている。大入賞口１１の奥には、入賞通路が設けられており、大入賞口１１に入賞した遊技球Ｂは入賞球通路を通って図示しない入賞球集合部の方へと導かれる。また、大入賞口１１の前には、シャッタ２２が設けられている。このシャッタ２２は、大入賞口１１の側部に設けられた大入賞口用ソレノイド１０により作動させられ、大入賞口１１を開閉する。
【００２０】
図柄表示装置１３は、遊技盤３中央の上部に設けられ、ＬＣＤ（液晶ディスプレイ）よりなる表示部１３ａを備えており、ここに複数の図柄列が表示される。例えば、これらの図柄列として左図柄列、中図柄列及び右図柄列の３つの図柄列（図示略）が表示される（それ以外の数の図柄列が表示されてもよい）。
【００２１】
各図柄列は、基本的には、複数種類の図柄によって構成されており、これらの図柄は、特別遊技図柄としての大当たり図柄、外れリーチ図柄及び外れ図柄のいずれかになりうる。図柄表示装置１３の表示部１３ａでは、各図柄列の図柄変動（回転変動）が、遊技球Ｂの作動口１２への入賞に基づいて開始させられる。また、大当たり図柄、外れリーチ図柄、外れ図柄の中から１つが選択され、これが停止図柄として設定される。停止図柄とは、各図柄列が図柄変動を停止したときに表示される図柄である。本実施の形態では、図柄変動は、左図柄列、右図柄列、中図柄列の順に停止させられるが、これはあくまでも１例にすぎず、別の順序で停止させられるようにしてもよい。
【００２２】
大当たり図柄は、リーチ状態を経た後、遊技者に有利な特別遊技状態としての大当たり状態を発生させるための図柄である。詳しくは、全ての図柄列の変動が停止させられたとき、表示されている図柄の組合せが、予め定められた大当たりの組合せ、すなわち、同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、特別電動役物が作動し（大入賞口１１が開かれ）、遊技者にとって有利な大当たり状態の到来、すなわち、より多くの賞球を獲得することが可能となる。
【００２３】
また、リーチ状態とは、大当たり直前の状態をいう。リーチ状態には、右図柄列の図柄変動が、大当たりライン上において左図柄列の停止図柄と同一種類の図柄で停止する状態が含まれる。このリーチ状態には、中図柄列の図柄変動が、最終的に左・右両図柄列の停止図柄と同一種類の図柄（大当たり図柄）で停止して大当たり状態になるもの以外にも、異なる種類の図柄（これを「外れリーチ図柄」という）で停止して、大当たり状態とならないもの（以下、「外れリーチ状態」という）が含まれる。
【００２４】
遊技球Ｂの作動口１２への入賞に基づいて各図柄列の図柄変動が開始させられることはすでに説明したが、この変動表示中にさらに遊技球Ｂが作動口１２に入賞した場合には、その分の変動表示は、現在行われている変動表示の終了後に行われる。つまり、変動表示が待機（保留）される。この保留される変動表示の最大回数は、パチンコ機の機種毎に決められている。本実施の形態では保留最大回数が４回に設定されているが、これに限られるものではない。
【００２５】
さらには、遊技者の操作に応じて変化するパチンコ機の遊技状態を検出するべく、本実施の形態では、遊技盤３には各種の検出スイッチが設けられている。検出スイッチとしては、例えば作動口１２に対応して設けられた作動口用スイッチ４１や、大入賞口１１に対応して設けられた大入賞口用スイッチ４２等が挙げられる。作動口用スイッチ４１は、遊技球Ｂの作動口１２への入賞を検出し、また、大入賞口用スイッチ４２は、遊技球Ｂの大入賞口１１への入賞を検出する。
【００２６】
本実施の形態では、作動口用スイッチ４１、大入賞口用スイッチ４２を含む各スイッチの検出結果に基づき大入賞口用ソレノイド１０、図柄表示装置１３等をそれぞれ駆動制御するために制御装置５０が設けられている。制御装置５０は、読み出し専用メモリ（ＲＯＭ）、中央処理装置（ＣＰＵ）、ランダムアクセスメモリ（ＲＡＭ）等を備えている。ＲＯＭは所定の制御プログラムや初期データを予め記憶しており、ＣＰＵはＲＯＭの制御プログラム等に従って各種演算処理を実行する。ＲＡＭは、ＣＰＵによる演算結果を、各種図柄乱数バッファ、図柄乱数エリア、停止図柄エリア等に一時的に記憶する。
【００２７】
さて、本実施の形態における特徴的部分について説明する。本実施の形態における可変入賞装置２１は、上述したように、大入賞口１１、シャッタ２２及び大入賞口用ソレノイド１０を備えている。図３，４に示すように、前記大入賞口１１は、遊技盤３に取付けられる取付部材２３のほぼ中央に開口形成されている。また、前記シャッタ２２は、その下部において、取付部材２３に対し傾動可能に軸支されている。
【００２８】
大入賞口用ソレノイド１０は、本体部２４、プランジャ２５及びコイルバネ２６を備えており、プランジャ２５は本体部２４に対し出没可能となっている。コイルバネ２６は、プランジャ２５先端のフランジ部と、本体部２４との間に設けられ、このコイルバネ２６の付勢力により、通常時には（大入賞口用ソレノイド１０の非励磁状態（オフ状態：非作動状態）には）、プランジャ２５は、本体部２４から突出した状態となる。一方、ソレノイド１０が励磁状態（オン状態：作動状態）になった場合には、プランジャ２５がコイルバネ２６の付勢力に抗して本体部２４内に没入するようになっている。
【００２９】
さらに、プランジャ２５先端のフランジ部には、アーム２７が係合（又は取付固定）されており、プランジャ２５とともに上下動するようになっている。該アーム２７には、シャッタ２２側（遊技者側）へ延びる突起２８が一体形成されている。一方、シャッタ２２の一側部には、被操作部３１、凹部３２、及び支持部３３が連続的に一体形成されている。そして、通常時（シャッタ２２が垂直状態となっているとき）には、前記突起２８が凹部３２内に収容されるようになっている。また、ソレノイド１０が励磁状態になり、プランジャ２５が本体部２４内に没入した場合には、アーム２７（突起２８）が上動し、被操作部３１が上動した突起２８によって前方へ押され、シャッタ２２が傾動する。これにより、大入賞口１１は開放状態（第２の状態）となり、遊技球Ｂの大入賞口１１への入賞が容易となる。
【００３０】
また、その後、ソレノイド１０が被励磁状態になり、プランジャ２５が本体部２４から突出した場合には、アーム２７（突起２８）が下動し、支持部３３が下動した突起２８によって押さえつけられ、シャッタ２２が垂直状態に復帰するとともに、上述したように突起２８は凹部３２内に収容される。これにより、大入賞口１１は閉鎖状態（第１の状態）となり、遊技球Ｂの大入賞口１１への入賞が困難（不可能）となる。
【００３１】
さらに、大入賞口１１の奥に延びるようにして取付部材２３には、入賞球通路等を構成するハウジング２９が取付固定されている。このハウジング２９には、上記大入賞口用ソレノイド１０や大入賞口用スイッチ４２の外、図示しない制御基板が取付けられている。
【００３２】
図５〜図８に示すように、前記ハウジング２９には、大入賞口用ソレノイド１０を覆うようにして、被覆体としての金属製のカバー３４が取付固定されている。大入賞口用ソレノイド１０は、そのほとんどの部分（特にプランジャ２５の先端側部分）がカバー３４で覆われており、プランジャ２５に対し、外部から不正な操作を行うことが困難（又は不可能）となっている。
【００３３】
また、アーム２７及びハウジング２９には、保持手段としての磁石３５，３６が取着固定されている。両磁石３５，３６は、シャッタ２２が垂直状態となっているときに（アーム２７が上動していないときに）それぞれ相対向し、互いに磁力によってくっつきあった状態となっている。但し、前記大入賞口用ソレノイド１０が励磁状態となった場合には、図７，８に示すように、プランジャ２５の没入動作、ひいては、アーム２７の上動が阻害されない（両磁石３５，３６は離間する）ようになっている。
【００３４】
次に、本実施の形態の作用及び効果について説明する。
【００３５】
本実施の形態によれば、大入賞口用ソレノイド１０がカバー３４で覆われており、外部からの不正操作が困難となっている。このため、「セル」等の治具を用いて、前記ソレノイド１０を不正に操作（プランジャ２５を没入）しようとしても、カバー３４の存在により、そのような不正な操作は行いにくくなる。その結果、不正行為のより確実な防止を図ることができ、ひいては、遊技場側にとっての損害の発生を抑制することができる。
【００３６】
また、本実施の形態では、アーム２７及びハウジング２９に、磁石３５，３６を取着固定することとし、両磁石３５，３６を、シャッタ２２が垂直状態となっているときにくっつけあわせることとした。このため、万が一、「セル」等を用いた不正行為が行われようとした場合でも、「セル」等の可撓性を有する治具では、磁力によりくっついているアーム２７をハウジング２９から上動させることは非常に困難となる。従って、上記カバー３４の存在とも相まって、不正行為のより確実な防止を図ることができるという効果を、より確実に奏せしめることができる。
【００３７】
一方で、磁石３５，３６の磁力をさほど強くすることなく、大入賞口用ソレノイド１０が励磁された場合には、プランジャ２５が本体部２４内に確実に没入される（アーム２７が上動する）ようにした。従って、磁石３５，３６を設けたことによってシャッタ２２の傾動が阻害されてしまうことがなく、結果として、大入賞口１１の開閉動作を円滑に行うことができる。
【００３８】
さらに、本実施の形態では、磁石３６をプランジャ２５の下端部近傍のアーム２７に設けることとした。このため、「セル」等を用いて外部から不正操作を行おうとした場合に、より多くの応力が必要となり、不正行為がより一層行われにくくなる。その結果、上記作用効果をより確実なものとすることができる。
【００３９】
尚、上述した実施の形態の記載内容に限定されずに、例えば次のように実施してもよい。
【００４０】
（ａ）上記実施の形態では、１つの可変入賞装置２１を有するタイプのパチンコ機に具体化したが、２つ以上の可変入賞装置を備えたパチンコ機に具体化してもよい。
【００４１】
（ｂ）上記実施の形態では、大当たり状態が発生した場合に開放される可変入賞装置２１に具体化したが、他の場合（獲得可能な景品球の比較的少ないいわゆる小当たりや中当たりの場合や、当たりの権利を獲得した場合であって、自身に入賞すれば大当たりの権利が発生する場合）に開放される可変入賞装置にも具体化することもできる。
【００４２】
（ｃ）上記実施の形態では、ハウジング２９及びアーム２７に磁石３５，３６を設けることとしたが、別の部位（例えばハウジング２９及びシャッタ２２、又は取付部材２３及びシャッタ２２に磁石を設けることとしてもよい。）なお、シャッタ２２に磁石を設ける場合には、不正操作を行おうとした場合の支点に近い部位（例えばシャッタ２２裏側の上部）に設けるのが望ましい。
【００４３】
また、磁石３５，３６の一方を、他方の磁石にくっつきうる金属により構成してもよい。
【００４４】
（ｄ）上記実施の形態では特に言及しなかったが、大入賞口１１の奥にいわゆるＶゾーンを有するタイプのパチンコ機に具体化することもできる。この場合には、複数ラウンドの大入賞口１１の開放が行われる場合において、次回の開放を行うためには遊技球ＢがＶゾーンに入賞するという継続条件が付加されることとなる。
【００４５】
（ｅ）上記実施の形態では、遊技球Ｂが図柄作動口１２に入賞可能な構成となっていたが、単に通過するだけの場合であってもよい。
【００４６】
（ｆ）図柄表示装置１３としては、上述した液晶ディスプレイ以外にも、ＬＥＤ、ＣＲＴ、ドットマトリックス、エレクトロルミネセンス（ＥＬ）、蛍光表示菅、ドラム等を用いてもよい。また、図柄列は１つであっても２つであってもよい。また、図柄表示装置１３を有しないタイプのパチンコ機にも具体化するこができる。例えば、特定の入賞口に遊技球Ｂが入賞した場合に可変入賞装置が開放されるようなパチンコ機にも適用できる。
【００４７】
（ｇ）本発明は、上記実施の形態とは異なるタイプのパチンコ機等にも適用できる。例えば、一度大当たりすると、それを含めて複数回（例えば２回、３回）大当たり状態が発生するまで、大当たり確率が高められるようなパチンコ機にも、本発明を適用することができる。また、本発明は、パチンコ機以外にも、雀球、アレパチ等の各種遊技機にも適用できる。
【００４８】
（ｈ）上記実施の形態では、電気的駆動手段として、大入賞口用ソレノイド１０を採用したが、他のアクチュエータ（例えば空圧シリンダ等）を用いてもよい。
【００４９】
（ｉ）上記実施の形態では、シャッタ２２が垂直状態と傾動状態とをとりうる可変入賞装置２１を用いたが、他の構造を有するタイプ（例えば一対の羽根が開閉されるタイプや、シャッタがスライドするとともに、案内部が突出状態となって大入賞口に入賞可能となるようなタイプ等）の可変入賞装置にも適用することもできる。
【００５０】
なお、上記実施の形態から把握できる技術的思想について以下に記載する。
【００５１】
（１）入賞口を第１の状態及び第１の状態よりも入賞容易な第２の状態にするためのシャッタと、該シャッタを作動させるための電気的駆動手段とを有してなる可変入賞装置を備えた遊技機において、
前記電気的駆動手段の作動部及び前記シャッタの少なくとも一方と、不動状態にある固定部との少なくとも一方には、通常時には前記シャッタが非作動状態に維持され、前記入賞口が第１の状態に維持されるよう保持手段を設けたことを特徴とする遊技機。
【００５２】
（２）上記付記（１）に記載の遊技機において、前記保持部材を、少なくとも磁石によって構成するとともに、前記電気的駆動手段が駆動された場合には、前記保持部材の磁力に抗して前記シャッタの作動を許容するようにしたことを特徴とする遊技機。
【００５３】
（３）請求項１〜３のいずれかに記載の遊技機において、
前記電気的駆動手段の作動部及び前記シャッタの少なくとも一方と、不動状態にある固定部との少なくとも一方には、通常時には前記シャッタが非作動状態に維持され、前記入賞口が第１の状態に維持されるよう保持手段を設けたことを特徴とする遊技機。
【００５４】
（４）上記付記（３）に記載の遊技機において、前記保持部材を、少なくとも磁石によって構成するとともに、前記電気的駆動手段が駆動された場合には、前記保持部材の磁力に抗して前記シャッタの作動を許容するようにしたことを特徴とする遊技機。
【００５５】
（５）上記付記（１）〜（４）のいずれかに記載の遊技機において、前記保持部材を、外部からの不正操作が行われる場合の支点近傍に設けることとしたことを特徴とする遊技機。
【００５６】
【発明の効果】
以上詳述したように、本発明によれば、入賞口を第１の状態及び第１の状態よりも入賞容易な第２の状態にするためのシャッタと、該シャッタを作動するための電気的駆動手段とを有してなる可変入賞装置を備えたパチンコ機等の遊技機において、不正行為のより確実な防止を図ることができるという優れた効果を奏する。
【図面の簡単な説明】
【図１】一実施の形態におけるパチンコ機を示す斜視図である。
【図２】パチンコ機の遊技盤等を示す正面図である。
【図３】可変入賞装置を表側から見た状態を示す正面図である。
【図４】図３のＪ−Ｊ線断面図である。
【図５】可変入賞装置の斜視図である。
【図６】可変入賞装置の部分背面図である。
【図７】シャッタが傾動された状態を示す可変入賞装置の斜視図である。
【図８】シャッタが傾動された状態を示す可変入賞装置の部分背面図である。
【符号の説明】
３…遊技盤、１０…大入賞口用ソレノイド、１１…大入賞口、２１…可変入賞装置、２２…シャッタ、２３…取付部材、２４…本体部、２５…プランジャ、２７…アーム、２８…突起、３４…被覆体としてのカバー、３５，３６…磁石、５０…制御装置、Ｂ…遊技球。